(57)【要約】【課題】避難場所の設備が一目瞭然である避難場所標示を提供する。【解決手段】災害発生時に罹災者に対し避難情報を提供する避難誘導標識柱であって、地面に立設されたポール１６の高位置に、避難場所名と避難場所の方向が記載されると共に、避難場所の設備を絵文字（ヒクトグラフ）にて示した設備標示部を備えてなる避難場所標示１を取り付ける。避難場所の設備としては、例えば、情報、医師による救護活動、救急医療、非常飲用水、非常食料、トイレ（仮設を含む。）などがある。ポール１６の低位置には、高齢者の注意を喚起させる認識マーク９と、点字による避難場所標示部１０を設ける。【選択図】図１
2005016302.tif 000002
【特許請求の範囲】
【請求項１】
災害発生時に罹災者に対し避難情報を提供する避難誘導標識柱であって、
地面に立設されたポールに取り付けられ、避難場所名及び前記避難場所の方向が記載されると共に、前記避難場所の設備を絵文字にて示した設備標示部を備えてなる避難場所標示を有することを特徴とする避難誘導標識柱。
【請求項２】
請求項１記載の避難誘導標識柱において、前記避難場所標示は、前記ポールの高位置に取り付けられることを特徴とする避難誘導標識柱。
【請求項３】
請求項２記載の避難誘導標識柱において、前記ポールの低位置に、高齢者の注意を喚起させる認識マークと、点字による避難場所標示部とをさらに設けたことを特徴とする避難誘導標識柱。
【請求項４】
請求項３記載の避難誘導標識柱において、前記点字による避難場所標示部に点字内容の翻訳文を付したことを特徴とする避難誘導標識柱。
【発明の詳細な説明】
【技術分野】
【０００１】
本発明は、地震や台風などの災害発生時に、罹災者に避難場所の方向などを示す避難誘導標識柱に関する。
【背景技術】
【０００２】
地震や台風などの災害発生時に、火災や浸水などで家を離れ、安全な場所を求めて逃げる罹災者に避難場所の方向などを示す避難場所標示はこれまでにも使用されている。
【特許文献１】登録実用新案第3037996号公報
【特許文献２】特開平10-60841号公報
【発明の開示】
【発明が解決しようとする課題】
【０００３】
しかしながら、従来の避難場所標示で知ることができる内容は、避難場所名、方向などに過ぎず、その避難場所にはどのような設備があるのか、あるいはどのような救護活動が行なわれているか、などの具体的な内容については全く示されていないため、例えば病人や災害による負傷者で治療を受けたい人、食料や水を求めている人、トイレを探している人などがいても、その避難場所に行かなければ自分が望む設備があるかどうかがわからず、しかも、自分の望む設備がそこになければ、また他の避難場所をたずねて移動しなければならない、といった、罹災者にさらに大きな負担をかける恐れがあったものである。また、一般的に高齢者は歩行中に頭上に注意を払わない傾向が認められるが、従来の避難場所標示は比較的高い個所に設けられているため、高齢者が避難場所標示に気づかずに通り過ぎてしまう恐れがあったものである。さらに、視覚障害者に配慮した避難場所標示も見当たらなかったものである。
【０００４】
本発明は、上記した実状に鑑みてなされたもので、避難場所の設備が一目瞭然である避難誘導標識柱を提供することをその目的とするものである。
【課題を解決するための手段】
【０００５】
上記の目的を達成するために、本発明に係る避難誘導標識柱は、災害発生時に罹災者に対し避難情報を提供する避難誘導標識柱であって、地面に立設されたポールに取り付けられ、避難場所名及び前記避難場所の方向が記載されると共に、前記避難場所の設備を絵文字にて示した設備標示部が設けられた避難場所標示を有することを特徴とするものである。避難場所の設備としては、例えば、情報、医師による救護活動、救急医療、非常飲用水、非常食料、トイレ（仮設を含む。）などがあり、いずれも災害発生時に、罹災者には必要な設備である。
【０００６】
また、前記避難場所標示を前記ポールの高位置に取り付けても良く、その一方で、前記ポールの低位置に、高齢者の注意を喚起させる認識マークと、点字による避難場所標示部とをさらに設けても良い。さらに、前記点字による避難場所標示部に点字内容の翻訳文を付しても良い。
【０００７】
本発明に係る避難誘導標識柱によれば、避難場所の設備、例えば、情報、医師による救護活動、救急医療、非常飲用水、非常食料、トイレ（仮設を含む。）の設備があることをを絵文字で示す設備標示部が含まれているから、避難場所にそうした設備があることが罹災者には一目瞭然であり、便利である。また、低位置（高齢者の通常の視野範囲）に設けられた認識マークにより高齢者の注意を喚起させ、避難場所標示部の存在を知らせることができる。さらに、低位置（視覚障害者が普通に手で触れることができる範囲）に設けられた点字による避難場所標示部により、視覚障害者は避難場所を容易に確認できることとなる。
【発明の効果】
【０００８】
本発明に係る避難誘導標識柱は、避難場所の設備を絵文字（ヒクトグラフ）で示す設備標示部を含むようにしたから、罹災者には設備標示部により避難場所の設備内容が一目瞭然となり、極めて便利であるといった顕著な効果が得られる。また、低位置に設けた認識マークにより高齢者の注意を喚起させ、避難場所標示の存在を知らせることができるとともに、点字による避難場所標示部により視覚障害者は避難場所を容易に確認できる効果も得られる。
【発明を実施するための最良の形態】
【０００９】
以下、本発明に係る避難誘導標識柱について、実施例に基づき説明する。図１は本発明に係る避難誘導標識柱の実施の一例を示す正面図、図２は図１の避難誘導標識柱の斜視図、図３は図１,２の避難誘導標識柱における避難場所標示を示す説明図である。
【００１０】
図において、１は避難場所標示で、板体あるいはシール体などで構成され、例えば避難場所近傍の道路や道路に面した場所に設置される。そして、この避難場所標示１には設備標示部が含まれ、この実施例では、「information（情報）」の「ｉ」の文字等の絵文字で示した情報設備標示部２、医師の絵文字で示した医師による救護活動を示す設備標示部３、緑十字の絵文字で示した救急医療設備標示部４、水道の絵文字で示した非常飲用水設備標示部５、箸に椀の絵文字で示した非常食料設備標示部６、男女の図などの絵文字で示したトイレ設備標示部７の各設備標示部が設けられている。勿論、これらの設備は、避難場所にそうした設備がある場合に付されるものであるから、避難場所の設備状況に応じて設備標示部を選択すればよい。いずれの備標示部も絵文字により設備内容が一目瞭然となっている。
【００１１】
また、図１および図２に示すように、避難場所標示１が実際に適用されている避難誘導標識柱８には、一般的に歩行中に頭上に注意を払わない高齢者の注意を喚起させるために、ポール１６に三本線の認識マーク９を付している。さらに、視覚障害者のために、図４にその内容を示すように、点字による避難場所標示部１０が設けられている。なお、図中、１１は避難場所名、１２は避難場所の方向、１３は避難場所の距離、１４はこうした避難場所標示を各自治体の行政区域の適所に配置する運動に協賛する企業名標示する協賛板、そして、１５は自治体が広報用に利用するための自治体広報板である。
【００１２】
なお、上記実施例では、情報、医師による救護活動、救急医療、非常飲用水、非常食料、トイレ（仮設を含む。）の各設備標示部を示したが、勿論これらに限定されることなく、災害発生時に必要な設備であればその他どのような設備（施設を含む。）を含んでもよい。また、設備標示部の配置も実施例に限定されることなく自由に設定すればよい。さらに、上記実施例では、避難場所標示を避難誘導標識柱に適用したが、避難場所標示をどのような媒体で表現するかについては実施例に限定されることなく、任意に決めることができる。
【００１３】
加えて、上記避難誘導標識柱８に三本線の認識マーク９を付したが、高齢者の注意を喚起させる認識マークであればどのようなマークでもよく、三本線に限らないし、そして、点字による避難場所標示部１０の内容についても限定されない。
【図面の簡単な説明】
【００１４】
【図１】本発明に係る避難誘導標識柱の実施の一例を示す正面図である。
【図２】図１の避難誘導標識柱の斜視図である。
【図３】図１,２の避難誘導標識柱における避難場所標示を示す説明図である。
【図４】点字による避難場所標示部１０を拡大し、点字内容の翻訳文を付した説明図である。
【符号の説明】
【００１５】
１    避難場所標示
２    情報設備標示部
３    医師による救護活動を示す設備標示部
４    救急医療設備標示部
５    非常飲用水設備標示部
６    非常食料設備標示部
７    トイレ設備標示部
８    避難誘導標識柱
９    認識マーク
１０    点字による避難場所標示部
１１    避難場所名
１２    避難場所の方向
１３    避難場所の距離
１４    協賛板
１５    自治体広報板
１６    ポール
【図１】
2005016302.tif 000003
【図２】
2005016302.tif 000004
【図３】
2005016302.tif 000005
【図４】
2005016302.tif 000006